(57)【要約】【課題】電気掃除機用のローラーを改良して、ローラーのシャフトに毛髪や糸屑が巻き付いた場合、迅速容易に除去できるようにする。【解決手段】ブッシュ８ｂに円筒状部８ｃが一体的に外嵌されて円筒状部材を形成している。上記ブッシュ８ｂにシャフト８ａが挿通されて、円筒状部材を回転自在に支持している。Ｘ−Ｘはシャフトの中心線である。この中心線Ｘを通る仮想の面Ｓに沿わせて切割り８ｄを形成する。（Ｂ）図の８ｅは上記の切割りによって形成された切割面である。シャフト８ａに毛髪Ｈａが巻き付いたとき、前記の切割り８ｄにカッターナイフの刃先を差し入れて容易に毛髪Ｈａを切断することができる。切断された毛髪は迅速容易に除去される（当該電気掃除機で吸い取ることも容易であり、切断された毛髪は二度と巻き付く虞が無い）。【選択図】図１
2010104746.tif 000002
【特許請求の範囲】
【請求項１】
電気掃除機用吸込具が床に対向している箇所に設けられているローラーにおいて、
吸込具の本体部に装着されたシャフトにより、車輪として機能する円筒状部材が回転自在に支持されていて、
前記シャフトの中心線を通る平面に沿って、前記の円筒状部材に切割りが形成されていることを特徴とする、電気掃除機用吸込具のローラー。
【発明の詳細な説明】
【技術分野】
【０００１】  本発明は、電気掃除機用吸込具に設けられて車輪として機能するローラーに関するものである。
【背景技術】
【０００２】  図２（Ａ）は、電気掃除機用吸込具の公知例を上下反転して、下面側から見たところを描いた斜視図である。
上部ケース２と下部ケース３とが組み合わされて、吸込具１の本体部を形成している。ただし、本図２は上下を反転して描かれているので上部ケース２が下側に、下部ケース３が上側になっている。
前記の下部ケース３に吸込口４が形成され、連結管５によって電気掃除機本体（図示省略）に接続されている。
符号６を付して示したのは、軟質の材料でリップ状に形成された帯体（ソフトバンド）である。
前記の吸込具が床に対向する箇所に複数組のローラー７が配設されている。ただし、本発明において「床」とは、電気掃除機で清掃する相手部材を総称する意である。【０００３】  前記ローラー７の拡大断面を図２（Ｂ）に示す。
吸込具本体を形成している下部ケース３に対してシャフト７ａが装着され、ローラーの円筒状部７ｃを回転自在に支持している。
本例においては、弾性ゴム製の円筒状部７ｃとシャフト７ａとの間に、摩擦係数の小さい合成樹脂（例えばテフロン）製のブッシュ７ｂが介装されている。
本発明において「円筒状部材」と言うときは、「円筒状部７ｃ、及び、これに結合されている部材（例えばブッシュ）」を総称する意である。
【特許文献１】  特開平０５−２６１０３５号公報
【発明の開示】
【発明が解決しようとする課題】
【０００４】  吸込具は、複数個のローラーを床に接せしめて転がしながら使用され、床面に散在していた塵埃等は、吸込口４から吸い込まれて清掃される。
ところが、電気掃除機による清掃作業を続けていると（図２（Ｂ）参照）、下部ケース３と円筒状部材との間に毛髪Ｈａが入り込んで、シャフト７ａに巻き付いてしまうことが少なくない。
これを取り除こうとしても、狭い空間の奥の方であるから指先が入らない。細い棒状の器具を差し込んでも、巻き付いている毛髪や糸屑は容易に取り除けない。
これを放置すると不潔であり、細菌類が繁殖する虞が有って不衛生である。【０００５】  本発明は以上に述べた事情に鑑みて為されたものであって、その目的は、毛髪や糸屑が巻き付いた場合、迅速容易に取り除くことのできる電気掃除機用吸込具のローラーを提供することである。
【課題を解決するための手段】
【０００６】  本発明の基本的な原理について、その１実施形態に対応する図１（Ａ）及び図１（Ｂ）を参照して説明すると次の通りである。この［課題を解決するための手段］の欄は、図面との対照が容易なように括弧書きで図面符号を付記してあるが、この括弧付き符号は本発明の構成を図面のとおりに限定するものではない。
本発明の技術的思想は、ローラーのシャフトに巻き付いている毛髪等をカッターナイフで切断できるようにする。
従来例のローラー構造では、カッターナイフの刃先をシャフトに触れさせることはできても、毛髪等を切断できる姿勢にならない。そこで本発明は「カッターナイフを、毛髪等の切断可能な姿勢（向き）にして、シャフトに当てがい得る構造」を創作した。【０００７】  本発明の構成は（図１（Ａ）参照）、電気掃除機用吸込具が床に対向している箇所に設けられているローラーを適用の対象とし、
吸込具の本体部に装着されたシャフト（８ａ）により、車輪として機能する円筒状部材（８ｄ＋８ｂ）が回転自在に支持されていて、
前記シャフトの中心線（Ｘ−Ｘ）を通る平面（Ｓ）に沿って、前記円筒状部材に切割り（８ｄ）が形成されていることを特徴とする。
【発明の効果】
【０００８】  本発明に係る電気掃除機用吸込具のローラーを適用すると、ローラーの円筒状部に切割りが設けられていて、該切割りがローラーのシャフトに達している。
このため、上記の切割りの中へカッターナイフの刃先を差し入れて、シャフトに巻き付いた毛髪や糸屑を切断することができ、切断された毛髪等は迅速かつ容易に除去し得る。
【発明を実施するための最良の形態】
【０００９】  図１は本発明の実施形態を示す。
（Ａ）は第１の実施形態の要部を抽出して描いた分解斜視図であり、（Ｂ）は上記第１の実施形態の断面図であり、（Ｃ）は第２の実施形態の断面図である。
（図１（Ｂ）参照）第１の実施形態に係るローラー８のシャフト８ａは、吸込具の下部ケース３に形成された凹部付近に取り付けられている。
（図１（Ａ）参照）ブッシュ８ｂと円筒状部８ｃとが一体的に結合されて円筒状部材を形成している。
図示のＸ−Ｘはシャフト８ａの中心線であり、符号Ｓを付して示したのは上記中心線を通る平面である。
本発明における「シャフトの中心線を通る平面」は、例えば底面や側面のように実体的な面ではなく、例えば接面や赤道面のような仮想の面であって目には見えず、設計的に想定される。【０００１０】  前記のブッシュ８ｂと円筒状部８ｃとから成る円筒状部材に、前記の平面Ｓに沿わしめて、切割り８ｄが形成されている。
立体幾何学的に考察すると、１本のシャフトに対して中心線（Ｘ）は１本であるが、該中心線を通る平面は無数に存在する。本発明を実施する場合、任意に１個の平面を選択すればよい。
図１（Ｂ）に描かれた断面には、前記の切割り８ｄによって形成された切割面８ｅが現れている。【００１１】  上述のように構成された第１の実施形態においては、図１（Ｂ）に示したように毛髪Ｈａがシャフト８ａに巻き付いても、前記切割り８ｄの中へカッターナイフの刃先（図示省略）を差し込んで、容易に該毛髪を切断除去することができる。【００１２】  吸込具ローラーの長さ寸法が半径に比して長い場合は、第２の実施形態が好適である。
図１（Ｃ）は、第２の実施形態に係るローラー９の断面図である。
下部ケース３に対してシャフト９ａが取り付けられ、「ブッシュ９ｂと円筒状部９ｃとから成る円筒状部材」が回転自在に支持されていることは前記第１の実施形態におけると同様ないし類似である。
本実施形態においては、前記円筒状部材の両端部それぞれに切割り９ｄと切割り９ｅとが形成されている。これら切割りの寸法は、カッターナイフｂの刃先が入り得るように設定する。【００１３】  本発明を実施する際、図１（Ｃ）に示したように、下部ケース３側にも切割り３ａを形成すればいっそう好都合である。
【図面の簡単な説明】
【００１４】
【図１】  （Ａ）は本発明の第１の実施形態における要部を描いた分解斜視図、（Ｂ）は該第１の実施形態の断面図、（Ｃ）は第２の実施形態の断面図である。
【図２】  （Ａ）は従来例の電気掃除機用吸込具の外観斜視図、（Ｂ）は上記電気掃除機用吸込具のローラー付近の拡大断面図である。
【符号の説明】
【００１５】１…吸込具
２…上部ケース
３…下部ケース
３ａ…切割り
４…吸込口
５…連結管
６…ソフトバンド
７…従来例のローラー
７ａ…同じくシャフト
７ｂ…同じくブッシュ
７ｃ…同じく円筒状部
８…本発明の第１の実施形態におけるローラー
８ａ…同じくシャフト
８ｂ…同じくブッシュ
８ｃ…同じく円筒状部
８ｄ…同じく切割り
８ｅ…同じく切割面
９…本発明の第２の実施形態におけるローラー
９ａ…同じくシャフト
９ｂ…同じくブッシュ
９ｃ…同じく円筒状部
９ｄ，９ｅ…同じく切割り
ｂ…カッターナイフ
Ｈａ…毛髪
Ｓ…Ｘ軸を通る平面
Ｘ…シャフトの中心線
【図１】
2010104746.tif 000003
【図２】
2010104746.tif 000004